(57)【特許請求の範囲】
【請求項１】
サーバ内の空気をサーバ外へ排気するファンを備えたサーバに搭載される光ディスク装置であって、
移動可能な光ピックアップと、
光ディスク配置領域を有するトレイと、を備え、
前記トレイは、自装置正面から前記トレイの前記光ディスク配置領域に連通する吸気孔と自装置背面から前記トレイの前記光ディスク配置領域に連通する排気孔とが内部に形成され、前記吸気孔に連通し前記光ピックアップを収容する中空部が形成されたクリーニング機能部を、前記光ディスク配置領域の外側に有し、
前記ファンによる前記サーバ外への空気の排気によって、前記クリーニング機能部は、前記吸気孔から吸入され、前記光ディスク配置領域を経由し、前記排気孔から排気される空気流により、前記中空部に収容される前記光ピックアップをクリーニングする、光ディスク装置。
【請求項２】
前記空気流は、前記サーバ外への空気の排気によって前記光ディスク装置内を負圧状態にすることで生じる、請求項１記載の光ディスク装置。
【請求項３】
前記中空部は、前記トレイの内部に形成されている、請求項１又は２に記載の光ディスク装置。
【請求項４】
前記光ピックアップのクリーニング時に前記光ピックアップを移動させ、前記空気流が前記光ピックアップに当たる箇所を変える、請求項１から請求項３のいずれか１項に記載の光ディスク装置。
【請求項５】
前記吸気孔は、前記中空部より上流となる箇所にフィルタを備える、請求項１から４のいずれか１項に記載の光ディスク装置。
【請求項６】
前記吸気孔の開口径は、前記トレイの中空部側より前記トレイの正面側の方が大きい、請求項１から５のいずれか１項に記載の光ディスク装置。
【請求項７】
前記排気孔の背面側の開口径が、前記吸気孔の正面側の開口径より大きい、請求項１から６のいずれか１項に記載の光ディスク装置。
【請求項８】
請求項１に記載の光ディスク装置の内部を負圧状態にして外部から前記吸気孔を介して前記中空部に空気を流入させ、前記光ピックアップを前記中空部の所定の位置に移動させ、前記光ピックアップを前記空気流によりクリーニングする、光ピックアップのクリーニング方法。
【請求項９】
前記光ピックアップのクリーニング時に前記光ピックアップを移動し、前記吸気孔からの前記空気流が前記光ピックアップに当たる位置を変える、請求項８に記載の光ピックアップのクリーニング方法。
【請求項１０】
請求項１〜７のいずれか１項に記載の光ディスク装置と、前記サーバ内の空気を前記サーバ外へ排気する前記ファンを備え、
前記吸気孔が前記サーバ外に、前記排気孔が前記サーバ内となるように光ディスク装置を配置し、
前記ファンにより生成される前記サーバ外から前記サーバ内への空気流を利用して、前記光ディスク装置の光ピックアップをクリーニングする、サーバ。
【発明の詳細な説明】
【技術分野】
【０００１】
本発明は、光ディスク装置における光ピックアップのクリーニングに関する。
【背景技術】
【０００２】
トレイローディング方式の光ディスク装置は、記録や再生のために光ディスクを出し入れする際に光ピックアップが露出するタイプがある。光ピックアップの内部又は外部に塵埃が付着すると、光ディスクの読み出し又は書き込みに障害が発生する。
【０００３】
光ピックアップのクリーニング技術として、特許文献１は、ローディング機構に光ディスクのカートリッジを押し込む力で内蔵シリンダ内に圧縮空気を貯め、この圧縮空気で光ヘッドに付着する塵埃を排除する装置を開示する。
【０００４】
また、特許文献２は、ターンテーブルの回転により生じる空気流を取り込んでピックアップレンズ表面に付着した塵埃を除去するクリーニング装置を開示する。
【０００５】
また、特許文献３は、光ピックアップの光学部品の近傍にノズルを配し、光ピックアップの移動に伴って生じる空気流をノズルから光学部品に送出し塵を落とす分離光学ヘッドを開示する。
【先行技術文献】
【特許文献】
【０００６】
【特許文献１】特許第２５８１４１８号
【特許文献２】特開２００８−５９６４０号公報
【特許文献３】特開平７−３０２４３２号公報
【発明の概要】
【発明が解決しようとする課題】
【０００７】
しかし、特許文献１の光ディスク装置は、シリンダ、ピストンなど元々の光ディスク装置に存在しない特別な機構を用いている。
【０００８】
また、特許文献２のクリーニング装置は、ターンテーブルの回転により生じる空気流を取り込む構成のため風量は微弱となる。
【０００９】
さらに、特許文献３の分離光学光ヘッドは、光学系の一部が分離された特殊な光ヘッドへの対応であり、また光ヘッド自体に構成を付加するため光ヘッドの小型化ができない。
【００１０】
本発明は、上記解題を解決することを目的として、簡易な構成で光ピックアップをクリーニングすることができる光ディスク装置を提供することにある。
【課題を解決するための手段】
【００１１】
本発明の光ディスク装置は、移動可能な光ピックアップと、光ディスク配置領域を有するトレイと、を備え、前記トレイは、自装置正面から前記トレイの前記光ディスク配置領域に連通する吸気孔と自装置背面から前記トレイの前記光ディスク配置領域に連通する排気孔とが内部に形成され、前記吸気孔に連通し前記光ピックアップを収容する中空部が形成されたクリーニング機能部を、前記光ディスク配置領域の外側に有し、前記クリーニング機能部は、前記吸気孔から吸入され、前記光ディスク配置領域を経由し、前記吸気孔から排気される空気流により、前記中空部に収容される前記光ピックアップをクリーンングする。
【００１２】
本発明の光ピックアップのクリーニング方法は、上述の光ディスク装置の内部を負圧状態にして外部から前記吸気孔を介して前記中空部に空気を流入させ、前記光ピックアップを前記中空部の所定の位置に移動させ、前記光ピックアップを前記空気流によりクリーニングする。
【００１３】
本発明のサーバは、上述の光ディスク装置と、サーバ内の空気をサーバ外へ排気するファンを備え、前記吸気孔が前記サーバ外に、前記排気孔が前記サーバ内となるように光ディスク装置を配置し、前記ファンにより生成される前記サーバ外から前記サーバ内への空気流を利用して、前記光ディスク装置の光ピックアップをクリーニングする。
【発明の効果】
【００１４】
本発明の光ディスク装置は、簡易な構成で光ピックアップをクリーニングすることができる。
【図面の簡単な説明】
【００１５】
【図１】本発明の第１の実施形態に係る光ディスク装置を示す上面図である。
【図２】本発明の第１の実施形態に係る光ディスク装置を示す正面図である。
【図３】本発明の第１の実施形態に係る光ディスク装置を示す背面図である。
【図４】光ディスク装置１のトレイ１０の一部を示す拡大上面図である。
【図５】図４に示す一点鎖線ＡＡ´におけるトレイ１０の断面図である。
【図６】図４に示す一点鎖線ＢＢ´におけるトレイ１０の断面図である。
【図７】図４に示す一点鎖線ＣＣ´におけるトレイ１０の断面図である。
【図８】第１の実施形態の光ディスク装置１を示す上面図である。
【図９】図８に示す一点鎖線ＤＤ´から見たトレイ１０の側面図である。
【図１０】図８に示す光ディスク装置１の一点鎖線ＥＥ´における断面図である。
【図１１】第１の実施形態１における光ピックアップ８の構成を示す断面図である。
【図１２】光ディスク装置１の変形例を示す上面図である。
【図１３】光ディスク装置１の変形例を示す背面図である。
【図１４】第１の実施形態の光ディスク装置を搭載したサーバを示す斜視図である。
【発明を実施するための形態】
【００１６】
本発明の第１の実施形態に係る光ディスク装置について、図面を用いて説明する。第１の実施形態の光ディスク装置の一例として、トレイローディング方式の光ディスク装置であって光ピックアップがトレイとともに移動するタイプについて説明する。図１は、第１の実施形態に係る光ディスク装置を示す上面図であり、光ディスク装置のトレイが開いた状態を示す。
【００１７】
光ディスク装置１は、光ディスク（不図示）を光ディスク装置１に出し入れするためのトレイ１０と、トレイ１０を収容する筐体２を備える。また光ディスク装置１は、光ディスクを回転させるターンテーブル９と、光ディスクへの記録再生の実行する光ピックアップ８と、光ピックアップ８を光ディスク面に沿って移動させる光ピックアップ移動機構（不図示）とを備える。さらにトレイ１０は、トレイ１０の端に設置され、トレイ１０を閉じた際に光ディスク装置１の正面の蓋となるフロントベゼル３を備える。
【００１８】
光ピックアップ８は、光ピックアップ移動機構により、ターンテーブル９を中心に放射線上に、内周方向から外周方向に、又は、外周方向から内周方向に移動する。光ピックアップ移動機構は、制御部（不図示）の指示で記録再生モード又はクリーニングモードのそれぞれに対応した位置に光ピックアップ８を移動させる。
【００１９】
ターンテーブル９は、光ディスクをターンテーブル９に固定するためのノッチ（不図示）を備える。ノッチにより固定された光ディスクは、ターンテーブル９に連結されたスピンドルモータ（不図示）により回転する。
【００２０】
トレイ１０は、両脇にレール１１を備え、筐体２に内部に設置されたガイド（不図示）と嵌合して開閉動作する。
【００２１】
またトレイ１０は、光ディスクを配置する光ディスク配置領域を有する。光ディスク配置領域は、光ディスクの外径より大きい径の段差を介して形成されている。すなわち、段差を境界とする一段低い平面部分が光ディスク配置領域であり、一段高い部分の領域内部にクリーニング機能部として後述する吸気孔４、排気孔５、中空部７が形成される。光ディスク配置領域の一部には、光ピックアップ８と光ディスク間の光路を確保するための開口が設けられている。
【００２２】
光ディスク装置１のトレイ１０は、正面側に吸気孔４、背面側に排気孔５を備える。トレイ１０の正面及び背面は、筐体２の正面及び背面の開口形状に対応したフロントベゼル３およびリアパネル（不図示）をそれぞれ備える。フロントベゼル３およびリアパネルは、トレイ１０の開閉動作と共にそれぞれ移動する。
【００２３】
図２は、光ディスク装置１のトレイ１０を閉じた状態の正面図である。図２に示すように、光ディスク装置１は、トレイ１０を閉じた状態で筐体２の開口の蓋となるフロントベゼル３を備える。フロントベゼル３は、正面の左側に吸気孔４につながる開口を有し、トレイ１０が閉じた状態においてフロントベゼル３の開口から外部の空気を取り込む。
【００２４】
図３は、光ディスク装置１のトレイ１０を閉じた状態の背面図である。図３に示すように、光ディスク装置１は、筐体２の背面側にリアパネル６を備える。リアパネル６は、排気孔５につながる開口を有し、トレイ１０が閉じた状態において当該開口から光ディスク装置１内の空気を抜き出す。リアパネル６は、トレイ１０と接続され、トレイ１０の開閉移動とともに移動する。光ディスク装置１のトレイ１０を開くと、リアパネル６は、トレイ１０の移動とともに筐体２の内部へ移動し、トレイ１０を閉じると、リアパネル６は、トレイ１０の移動とともに図３の背面図に示す元の状態に戻る。
【００２５】
図４は、光ディスク装置１のトレイ１０の一部を示す拡大上面図である。図４に示すように吸気孔４（４Ａ、４Ｂ）及び中空部７が、トレイ１０のディスク配置領域の外側、かつ、トレイ１０の正面側に形成されている。また中空部７は、吸気孔４の途中に形成されている。説明上、中空部７を境にフロントベゼル３に近い吸気孔４を吸気孔４Ａと示し、光ディスク配置領域に近い吸気孔４を吸気孔４Ｂと示す。図４に示すように吸気孔４Ａの開口径は、中空部７側よりフロントベゼル３の方が大きい。このような形状により、フロントベゼル３側の周辺の空気を取り込みやすくし、かつ、中空部７に流れる空気流の速さを加速させることができる。
【００２６】
中空部７は、光ピックアップ８を空気流でクリーニングするための空間である。中空部７は、光ピックアップ８が中空部７に移動する面を除き、トレイ１０の壁で囲まれている。光ディスク装置１の光ピックアップ駆動機構は、光ピックアップ８のクリーニングのために光ディスクの外周を超えて中空部７の位置まで光ピックアップ８を移動する。
【００２７】
中空部７で光ピックアップ８をクリーニングする空気流は、吸気孔４Ａを介して光ディスク装置１の外部から取り込まれ、光ピックアップの塵埃を落とした後に吸気孔４Ｂを介して、光ディスク配置領域の空間へ抜ける。その後、図１に示す排気孔５を介して塵埃を含む空気流は光ディスク装置１の背面から排出される。
【００２８】
このように、空気流で光ピックアップ８をクリーニングする機能を果たす、吸気孔４（４Ａ、４Ｂ）、吸気孔５、中空部７を総称してクリーニング機能部と表す。
【００２９】
図５は、図４に示す一点鎖線ＡＡ´におけるトレイ１０の断面図である。図６は、図４に示す一点鎖線ＢＢ´におけるトレイ１０の断面図である。図７は、図４に示す一点鎖線ＣＣ´におけるトレイ１０の断面図である。なお、図５〜図７において、レール１１は簡便のため省略している。図５〜図７に示すように、吸気孔４Ａ、４Ｂ及び中空部７はトレイ１０の内部に形成されている。図５に示すように吸気孔４Ｂは、トレイ１０の光ディスク配置領域の空間と連通するためにトレイ１０の断面上側に形成されている。なお、図５中、トレイ１０の右側は、トレイ１０の光ディスク配置領域における光ピックアップ８の開口のためにトレイ１０が存在しない。図６に示すように中空部７は、トレイ１０の光ディスク配置領域の外側に形成されている。また図７に示すようにトレイ１０に吸気孔４Ａが形成されている。
【００３０】
図８は、トレイ１０が開いた状態の光ディスク装置１を示す上面図である。図８に示す一点鎖線ＤＤ´は、一点鎖線ＤＤ´からトレイ１０の段差の方向の断面箇所を表す。また、図８に示す一点鎖線ＥＥ´は、トレイ１０が開いた状態における光ディスク装置１の断面箇所を示している。
【００３１】
図９は、図８の一点鎖線ＤＤ´からトレイ１０の段差の方向を見たときのトレイ１０の断面図である。図９中、トレイ１０の段差の側面に吸気孔４と排気孔５の開口が形成されている。このように、吸気孔４を抜けた空気流は、トレイ１０の光ディスク配置領域の空間を介して排気孔５に流れる。なお、空間の空気流は、光ディスクがターンテーブルに取り付けられている場合は、光ディスク以外の空間を通り抜ける。このようにトレイ１０の光ディスク配置領域もクリーニング機能部の一部として機能する。
【００３２】
図１０は、図８に示す光ディスク装置１の一点鎖線ＥＥ´における断面図である。なお、図１０中、簡便のために筐体２の断面の厚さを省略して示す。さらに、トレイ１０の断面を表すハッチングも省略して示す。図１０に示すように、光ディスク装置１のトレイ１０は、吸気孔４Ａ、中空部７、吸気孔４Ｂ、トレイ１０の光ディスク配置領域の空間（不図示）、排気孔５の順に空気流が流れる構造となっている。
【００３３】
なお、簡便な表記のために、図８〜図１０に示すように光ディスク装置１のトレイを開けた状態の図面を用いて説明したが、光ピックアップ８のクリーニング時は、トレイ１０を閉じた状態で実施される。
【００３４】
図１１は、クリーニング前の光ピックアップ８の断面を示す断面図である。光ピックアップ８は、対物レンズ２２、立ち上げミラー２３、コリメートレンズ２４、波長板２５、光検出器２６、レーザダイオード２７、偏光ビームスプリッタ２８を備える。光ピックアップ８の側面はレンズ空間が一部開放された構成となっている。このため、クリーニング前の光ピックアップ８は、対物レンズ２２、立ち上げミラー２３、及び、コリメートレンズ２４に塵埃２１が付着しやすくなっている。光ピックアップ８がクリーニングのために中空部７の所定の位置に移動すると、吸気孔４の空気流２９が光ピックアップ８の上面、または側面にあたり、塵埃２１が除去される。
【００３５】
なお、上記の第１の実施形態の光ディスク装置１は、吸気孔４、排気孔５および中空部７をトレイ１０の光ディスク配置領域の外側部分の内部に形成したが、これに限られない。例えば、トレイ１０が薄い場合には、吸気孔４、排気孔５及び中空部７をトレイ１０の裏面側に別途設けてもよい。ここでトレイ１０の裏面とは、トレイ１０において光ディスクを配置する表面と反対の面を指す。
【００３６】
また、吸気孔４から中空部７への空気流に塵埃が入らないように、吸気孔４の中空部７より上流となる箇所にフィルタを備えてもよい。一例として、フロントベゼル３における吸気孔４とつながる開口にフィルタを設けることができる。
【００３７】
また、光ピックアップ８のクリーニングの際に、光ディスク装置１の筐体２とフロントベゼル３との間の気密性を保つために、フロントベゼルの周囲を弾性体で囲み、トレイ１０を閉じた状態で筐体２とフロントベゼル３との間に弾性体３が挟まるようにしてもよい。またフロントベゼル３の周囲ではなく、筐体２正面の開口の周囲を弾性体で囲んでもよい。
（変形例）
図１２は、光ディスク装置１の変形例である光ディスク装置１Ａを示す上面図である。図１３は、光ディスク装置１の変形例である光ディスク装置１Ａを示す背面図である。図１２に示すように、光ディスク装置１Ａは、光ディスク装置１と比較して、トレイ１０Ａにおける排気孔５Ａの開口径がトレイ１０における排気孔５の開口径より大きい。また、図１３に示すように光ディスク装置１Ａのリアパネル６Ａにおける排気孔５Ａの径が光ディスク装置１のリアパネル６における排気孔５より大きい。それ以外は、光ディスク装置１の構成は光ディスク装置１Ａの構成は同じである。
【００３８】
光ディスク装置１Ａのように排気孔５Ａの径を大きくすることで、光ディスク装置１Ａは、光ディスク装置１よりも多くの空気を排出できるため、光ディスク装置１Ａは、光ディスク装置１と比べて負圧にすることが容易になる。
（光ピックアップのクリーニング方法）
光ディスク装置１における光ピックアップ８のクリーニング動作について、以下に説明する。
【００３９】
はじめに、光ディスク装置１の内部を負圧状態にして外部から吸気孔４を介して中空部７に空気を流入させる。内部を負圧状態にする手法として、外部ポンプ（不図示）又は外部ファン（不図示）により排出孔５を介して光ディスク装置１内部の空気を吸引してもよい。なお、気密性の観点からクリーニング動作は、トレイ１０を閉じた状態で実施する。
【００４０】
次に、光ディスクの読み取り／書き込み動作の位置（記録再生モード）にある光ピックアップを、中空部７の中の所定の位置（クリーニングモード）に移動させる。中空部７の所定の位置に移動した光ピックアップ８は、吸気孔４から取り込まれた空気流によりクリーニングされ、光ピックアップ８の内部又は外部に付着した塵埃が除去される。光ピックアップ８を通過した空気流は排気孔５を経由して光ディスク装置１の背面に排気される。
【００４１】
一定時間の経過後にクリーニング動作を完了し、光ピックアップ８を中空部７から光ディスクの読み取り／書き込み位置に戻す。
【００４２】
光ピックアップ８をクリーニングするタイミングは、光ディスクの読み取り／書き込みエラーを検出したときが好ましい。なお、所定の時間間隔で定期的に光ピックアップ８をクリーニングしてもよい。
【００４３】
また、光ピックアップ８のクリーニング時に光ピックアップ８を移動し、吸気孔５からの空気流が光ピックアップに当たる位置を変えてもよい。
【００４４】
以上のように、第１の実施形態の光ディスク装置１は、移動可能な光ピックアップ８と、光ディスク配置領域を有するトレイ１０と、自装置正面からトレイ１０の光ディスク配置領域に連通する吸気孔４と、自装置背面から前記トレイ１０の光ディスク配置領域に連通する排気孔５を備え、排気孔４を流れる空気流により中空部７に収容された光ピックアップ８をクリーニングする。
【００４５】
光ディスク装置１は、光ピックアップ８をクリーニングする空気流の流路となる吸気孔４、排気孔５、中空部７をトレイ１０の光ディスク配置領域の外に形成すればよく、元々光ディスク装置に関連のない構成を追加する必要がない。また、光ピックアップ自体への構成の追加も不要である。このため、簡易な構成で光ピックアップのクリーニングが可能となる。
【００４６】
また、空気流の流路として、トレイ１０の光ディスク配置領域の空間を利用することで、トレイ１０の光ディスク配置領域の外側の開口径が小さい場合でも空気流の流路を確保でき、光ディスク装置１の小型化に寄与できる。
（サーバ）
図１４は、第１の実施形態の光ディスク装置１を搭載したサーバを示す斜視図である。図１４中、サーバ３０は、内部に光ディスク装置1、ファン３１Ａ、３１Ｂ、３１Ｃ、ヒートシンク３２、フード３３を備える。
【００４７】
光ディスク装置１は、光ディスク装置１のフロントベゼルとサーバ３０の正面パネルが同じ面となるように搭載される。
【００４８】
また、サーバ３０は、ＣＰＵ（Ｃｅｎｔｒａｌ  Ｐｒｏｃｅｓｓｉｎｇ  Ｕｎｉｔ）（不図示）を冷却するためのヒートシンク３２を備える。ヒートシンク３２は、熱放散による冷却能力を高めるためにファン３１Ａ、３１Ｂが設けられている。ファン３１Ａは、サーバ３０内部の空気を強制的にヒートシンク３２に送り込み、ヒートシンク３２のフィンによる熱交換を促進する。熱交換後の空気は、ファン３１Ｂおよびフード３３によってサーバ３０の背面側に排気される。また、ファン３１Ｃは、ヒートシンク３２およびその他の熱源により暖められたサーバ３０内部の空気をサーバ３０外部に排気する。
【００４９】
ファン３１Ａ、３１Ｂ、３１Ｃの排気によりサーバ３０の内部は負圧となり、サーバ３０の正面パネル開口、及び、光ディスク装置１の吸気孔４からサーバ３０の外部の空気が吸気される。このため、サーバ３０、及び、光ディスク装置１の内部に空気流３４が発生する。
【００５０】
このように、第１の実施形態の光ディスク装置１をサーバ３０に搭載した例では、サーバ３０のファン３１Ｂ、３１Ｃが、ＣＰＵ、又は、サーバ３０の内部を冷却するために常にファンが動作し、サーバ３０内で常に空気流３４が生成される状況にある。このため、第１の実施形態の光ディスク装置１をサーバ３０に搭載するだけで、光ピックアップのクリーニングが可能となる。また、サーバ３０も新たな構成の追加は不要である。
【００５１】
また、図１４に示すサーバ３０の例で、光ディスク装置１内の空気流の流速を速める場合、光ディスク装置１の排気孔５を、ファン３１Ａの吸気側の近くに配置することが好ましい。
【００５２】
なお、図１４に示す光ディスク装置１は縦置きの例であるが、横置きに搭載してもよい。
【００５３】
上記実施形態において、光ピックアップの光学系に付着した塵埃の例を示したが、これに限られるものではなく、光ピックアップの光学系に影響を与える異物であれば適用可能である。
【００５４】
以上、実施形態（及び実施例）を参照して本願発明を説明したが、本願発明は上記実施形態（及び実施例）に限定されものではない。本願発明の構成や詳細には、本願発明のスコープ内で当業者が理解し得る様々な変更をすることができる。
【００５５】
上記の実施形態の一部又は全部は、以下の付記のように記載されうるが、以下には限られない。
【００５６】
（付記１）  移動可能な光ピックアップと、
光ディスク配置領域を有するトレイと、を備え、
前記トレイは、自装置正面から前記トレイの前記光ディスク配置領域に連通する吸気孔と自装置背面から前記トレイの前記光ディスク配置領域に連通する排気孔とが内部に形成され、前記吸気孔に連通し前記光ピックアップを収容する中空部が形成されたクリーニング機能部を、前記光ディスク配置領域の外側に有し、
前記クリーニング機能部は、前記吸気孔から吸入され、前記光ディスク配置領域を経由し、前記吸気孔から排気される空気流により、前記中空部に収容される前記光ピックアップをクリーンングする、光ディスク装置。
【００５７】
（付記２）  前記空気流は、前記光ディスク装置内の負圧により生じる空気流である、付記１記載の光ディスク装置。
【００５８】
（付記３）  前記中空部は、前記トレイ内部に形成されている、付記１又は２に記載の光ディスク装置。
【００５９】
（付記４）前記光ピックアップのクリーニング時に前記光ピックアップを移動させ、前記空気流が前記ピックアップに当たる箇所を変える、付記１から３のいずれか１つに記載の光ディスク装置。
【００６０】
（付記５）  前記吸気孔は、前記中空部より上流となる箇所にフィルタを備える、付記１から４のいずれか１つに記載の光ディスク装置。
【００６１】
（付記６）  前記トレイの正面側に配置され、前記吸気孔につながる開口が形成されたフロントベゼルを備える、付記５記載の光ディスク装置。
【００６２】
（付記７）  前記フロントベゼルの前記開口にフィルタを備える、付記６に記載の光ディスク装置。
【００６３】
（付記８）  前記トレイを収容する筐体を備え、前記筐体と前記フロントベゼルの間に前記トレイ正面側の気密性を保つための弾性体を備える、付記７に記載の光ディスク装置。
【００６４】
（付記９）  前記トレイを開けた状態で前記弾性体が、前記筐体、又は、前記フロントベゼルに設置されている、付記８に記載の光ディスク装置。
【００６５】
（付記１０）  前記排気孔の背面側の開口径が、前記吸気孔の正面側の開口径より大きい、付記１から６のいずれか１つに記載の光ディスク装置。
【００６６】
（付記１１）  前記吸気孔の開口径は、前記中空部側より前記フロントベゼル側の方が大きい、付記６〜８にいずれか１つに記載の光ディスク装置。
【００６７】
（付記１２）  請求項１に記載の光ディスク装置の内部を負圧状態にして外部から吸気孔４を介して中空部７に空気を流入させ、前記光ピックアップを前記中空部の所定の位置に移動させ、前記光ピックアップを前記空気流によりクリーニングする、光ピックアップのクリーニング方法。
【００６８】
（付記１３）  一定時間の経過後にクリーニング動作を完了し、前記光ピックアップを前記中空部から光ディスクの読み取り／書き込み位置に戻す、付記１２に記載の光ピックアップのクリーニング方法。
【００６９】
（付記１４）  外部ポンプ、又は、外部ファンにより前記排出孔から前記光ディスク装置内部の空気を吸引して前記負圧状態を発生させる、付記１２又は１３に記載の光ピックアップのクリーニング方法。
【００７０】
（付記１５）  光ピックアップのクリーニング時に光ピックアップを移動し、吸気孔からの空気流が光ピックアップに当たる位置を変える、付記１２〜１４のいずれか１つに記載の光ピックアップのクリーニング方法。
【００７１】
（付記１６）  付記１〜１１のいずれか１つに記載の光ディスク装置と、サーバ内の空気をサーバ外へ排気するファンを備え、前記吸気孔が前記サーバ外に、前記排気孔が前記サーバ内となるように前記光ディスク装置を配置し、前記ファンにより生成される前記サーバ外から前記サーバ内への空気流を利用して、前記光ディスク装置の光ピックアップをクリーニングする、サーバ。
【００７２】
（付記１７）  前記光ディスク装置の配置を縦置き又は横置きとする、付記１４に記載のサーバ。
【符号の説明】
【００７３】
１、１Ａ  光ディスク装置
２  筐体
３  フロントベゼル
４、４Ａ、４Ｂ  吸気孔
５、５Ａ  排気孔
６、６Ａ  リアパネル
７  中空部
８  光ピックアップ
９  ターンテーブル
１０  トレイ
１１  レール
２１  塵埃
２２  対物レンズ
２３  立ち上げミラー
２４  コリメートレンズ
２５  波長板
２６  光検出器
２７  レーザダイオード
２８  偏光ビームスプリッタ
２９  空気流
３０  サーバ
３１Ａ、３１Ｂ、３１Ｃ  ファン
３２  ヒートシンク
３３  フード
３４  空気流
【図１】
0006365166.tif 000002
【図２】
0006365166.tif 000003
【図３】
0006365166.tif 000004
【図４】
0006365166.tif 000005
【図５】
0006365166.tif 000006
【図６】
0006365166.tif 000007
【図７】
0006365166.tif 000008
【図８】
0006365166.tif 000009
【図９】
0006365166.tif 000010
【図１０】
0006365166.tif 000011
【図１１】
0006365166.tif 000012
【図１２】
0006365166.tif 000013
【図１３】
0006365166.tif 000014
【図１４】
0006365166.tif 000015